(57)【特許請求の範囲】
【請求項１】
扉枠に枢着された扉の自由側端縁部から吊元側端縁部に亘って装着される扉の振れ止め装置であって、扉を水平方向に貫通する連結棒の扉の自由側端縁部側の先端に案内斜面を有するトリガ片を、扉の吊元側端縁部側の基端に嵌め片をそれぞれ固設し、前記のトリガ片、連結棒及び嵌め片から成る組立体は、扉の水平方向のある範囲を摺動案内されるようにすると共に、ばねにより先端のトリガ片が扉の自由側端縁から突出する方向に付勢させてあり、閉扉時先端のトリガ片が戸先側の扉枠に当接したとき、基端の嵌め片が吊元側の扉枠に設けた受け孔に係入するようにし、以て、地震の振動や火災の熱による扉の吊元側端縁部と扉枠との間の相対的な変位を拘束するようにしたことを特徴とする扉の振れ止め装置。
【発明の詳細な説明】
【０００１】
【産業上の利用分野】
この発明は、扉の振れ止め装置に関する。
【０００２】
【従来の技術】
地震の振動又は火災の熱により閉鎖時の扉と扉枠との間に相対的な変位が生じると、同一の鉛直線上に存在すべき上下２つの蝶番の枢軸にずれや傾きを生じ、扉の解放機能に障害を起こすことがある。
【０００３】
その対策のため、従来の扉の振れ止め装置ととしては、扉枠に枢着された扉の吊元側端縁の中央部に半球状の突片を固設し、扉枠の対応個所に前記突片が閉扉時嵌め合わされる受け孔を設けたものが用いられている。
【０００４】
この場合、扉の吊元側端縁の中央部も扉枠に拘束されることになるので、振れ止め装置が無い場合と比較して扉の変形量を小さくすることができ、多くの場合、扉の塑性変形が生じるような扉と扉枠との相対的な変位に対し、扉の変形量を弾性変形の範囲に納めることができる。換言すれば、変形の原因となる力を取り去れば、扉は元の形状に復帰するのである。
【０００５】
しかしながら、前記の従来装置は、蝶番の枢軸が扉の幅方向の一方に偏って扉の外側に位置させてあるものには対応できるが、扉か中心吊りもの、すなわち、枢軸が扉の幅方向の中心に位置させてあるものには、使用できないという問題点があった。
【０００６】
その理由は、蝶番の枢軸が扉の外側に位置する場合、振れ止め装置を構成する突片は、扉の開閉に伴い受け孔から離間したり近接したりするように移動するが、中心吊りの場合には、突片が受け孔内で扉の厚さ方向に移動し、突片と受け孔とが相互に干渉するからである。
【０００７】
【発明が解決しようとする課題】
この発明の扉の振れ止め装置は、扉が中心吊りのものであっても、地震又は火災の際に、閉鎖している扉と扉枠との間に生じようとする相対的な変位を阻止し、扉と扉枠との間を可動に連結する枢軸のずれや変形（曲がり）を無くすようにすることを目的として開発されたものである。
【０００８】
【課題を解決するための手段】
上記の目的を達成するため、この発明は、扉枠に枢着された扉の自由側端縁部から吊元側端縁部に亘って装着される扉の振れ止め装置であって、扉を水平方向に貫通する連結棒の扉の自由側端縁部側の先端に案内斜面を有するトリガ片を、扉の吊元側端縁部側の基端に嵌め片をそれぞれ固設し、前記のトリガ片、連結棒及び嵌め片から成る組立体は、扉の水平方向のある範囲を摺動案内されるようにすると共に、ばねにより先端のトリガ片が扉の自由側端縁から突出する方向に付勢させてあり、閉扉時先端のトリガ片が戸先側の扉枠に当接し  たとき、基端の嵌め片が吊元側の扉枠に設けた受け孔に係入するようにし、以て、地震の振動や火災の熱による扉の吊元側端縁部と扉枠との間の相対的な変位を拘束するようにしたことを特徴とする。
【０００９】
【発明の実施の形態】
以下、図面に示す実施例に基づいてこの発明について説明する。
図１及び図２において、符号１は扉、１ａは扉１の縦框、１ｂは扉１の表面材、２は閉鎖時扉１が嵌めこまれる扉枠、１０は中心吊りの扉の枢軸の軸心、すなわち蝶番の回動軸、Ａは扉１の開閉方向をそれぞれ示す。
【００１０】
この発明の振れ止め装置は、扉枠２に装着された扉１の自由側端縁部（戸先側の端縁部）から吊元側端縁部（図で左端部）に亘って装着される。この装置は、元来中心吊りの扉用のものとして提案されたものであるが、偏心吊りの扉（蝶番の枢軸を扉の外側に位置させた扉）に対して利用しても差し支えない。また、この装置の各部材は鉄、鋼、アルミニウム等の金属材料や強靱な硬質合成樹脂材料で作るとよい。
【００１１】
本発明に係る装置の主要部をなす全体として棒状の組立体３は、先端から順に、少くも１つの案内斜面３４を有するトリガ片３１、扉１を水平方向（横方向）に貫通する連結棒３２及び扉枠２の対応個所に設けた受け孔２３に嵌め外しされる嵌め片３３を別体として又は一体に接続して成る。
【００１２】
換言すれば、扉１を水平方向に貫通する中間の連結棒３２の先端及び基端（後端）にトリガ片３１及び嵌め片３３がそれぞれ固設してある。
【００１３】
前記の組立体３は、扉１の水平方向のある範囲を扉１の前方、すなわち扉の自由側端縁部に固定されたストッパを兼ねる第１案内枠１１及び扉１の後方に固定された第２案内枠１２で摺動案内される。
【００１４】
すなわち、図示例ではトリガ片３１を第１案内枠１１で、また嵌め片３３を第２案内枠１２で摺動案内するようにしてある。また、ストッパ手段は第１案内枠１１の後端部とトリガ片３１の段部３５とで構成されており、トリガ片３１の突出長さを制限する。
【００１５】
但し、前記の案内手段１１、１２及びストッパ手段の形式や設定箇所は、図示例に限らない。例えば、それら両手段は組立体３の連結棒３２に対して設けることもできる。
【００１６】
実施例においては、第１案内枠１１は後記のばね受け１３と共に扉１の前方部に固設した裏板１４にねじ９１で固定され、また、第２案内枠１２は扉１の後方部に固設した裏板１５にねじ９２で固定されている。
【００１７】
前記の第１案内枠１１、第２案内枠１２、ばね受け１３及び裏板１４、１５に対しては、棒状をなす組立体３の水平方向の変位を許容するため、案内孔その他の開孔を設けることは言うまでもない。
【００１８】
符号４は、ばね受け１３の空間部に装着された圧縮ばねその他任意のばねで、先端のトリガ片３１が扉１の自由側端面から突出する方向に組立体３の全体を付勢させてある。
【００１９】
圧縮ばね４は、連結棒３２に巻装され、一端をトリガ片３１の後面に、他端をばね受け１３の底面にそれぞれ当接させてある。
【００２０】
閉扉時組立体３の先端のトリガ片３１は、ねじ９３により扉枠２の対応個所に固定した当て板２１に当接して組立体３の基端の嵌め片３３を連結棒３２を介して扉枠２の対応個所に設けた受け部材２２の受け孔２３に選択的に係入させるようにしてある。
【００２１】
前記の当て板２１は、扉枠２の前方部に固設した裏板２４にねじ９３で固定されている。また、受け部材２２は表面２２ａ及び凹部を有する基板２２ｂから成り、扉枠２の後方部に固設した裏板２５にねじ９４で固定されている。
【００２２】
前記の当て板２１並びに受け部材２２はいずれも省略することができる。その場合、トリガ片３１の突出入の誘導は扉枠２の表面で直接行うようにし、また、嵌め片３３が係入される受け孔２３は扉枠２に直接設ければよい。
【００２３】
扉１が上下２つの蝶番（図示しない）で扉枠２に対して吊られる場合、この発明の扉の振れ止め装置は、２つの蝶番の中間の高さに水平に装着するのが普通である。
【００２４】
図１及び図２に示されているように、扉１の閉鎖時、組立体３の先端のトリガ片３１は扉枠２の前方部に当接し、ばね４の弾力に抗して押し込まれているので、連結棒３２を介して後方に押されている基端の嵌め片３３は扉枠２の後方部に設けられた受け孔２３に係入される。
【００２５】
そして、例えば、嵌め片３３に形成された拘束面３６が受け孔２３の一部に当接するので、扉枠２に対し最も相対的変位が生じやすい扉１の外方側への変位は、その当接作用により抑制される。
【００２６】
従って、地震の振動や火災の熱により、扉１と扉枠２との間に相対的な変位が生じようとしてもそれが拘束されるので、枢軸にずれや変形を生じることがなく、扉１の開放操作が阻害されることがない。
【００２７】
扉１を開放させる場合、ノブ等により扉１を押し引きすると、図１から明らかなように、扉１は枢軸の軸心１０を回転軸として反時計方向に回動するが、開放の初期の段階においては、嵌め片３３は受け孔２３内で遊動する。
【００２８】
扉がある一定角度以上に開くと、組立体３の先端のトリガ片３１が扉枠２から自動的に外れるので、組立体３の全体がばね４の付勢力によって図１で右方に移動し、基端の嵌め片３３の受け孔２３に対する係入が解除される。そして、扉１は自由に開放できることになる。
【００２９】
逆に扉１を閉鎖させる場合は、扉１が扉枠２に近接すると、トリガ片３１の案内斜面３４が扉枠の稜部に押されて、組立体３の全体をばね４に抗して図１に左方に移動させ、嵌め片３３を扉枠２の受け孔２３に係入させる。
【００３０】
【発明の効果】
以上に説明したこの発明の扉の振れ止め装置によれば、扉が中心吊りのものであっても適用でき、扉の閉鎖位置における扉枠に対する相対的変位を阻止するように働くので、地震や火災の際に扉が開放不能となることが少なく、防災上極めて有効である。
【図面の簡単な説明】
【図１】この発明の実施例の要部を示す縦断平面図。
【図２】その縦断側面図。
【符号の説明】
１  扉
２  扉枠
２３  受け孔
３  組立体
３１  トリガ片
３２  連結棒
３３  嵌め片
３４  案内斜面
４  ばね
【図１】
0003652746.tif 000002
【図２】
0003652746.tif 000003